(57)【要約】      （修正有）【課題】遊技者が遊技中に必然的に視線を向けるメダル受皿の部位に着目し、当該部位を広告及び宣伝の目的のためのスペースとして活用可能な広告案内表示具を提供する。【解決手段】広告案内表示具は、広告情報６が表示された薄板形状の案内表示板２と、メダル受皿の受皿底部から所定の高さの受皿内周形状に略一致する外周形状に形成された上下一対の薄板形状の表示基板３ａ，３ｂ、及び表示基板３ａ，３ｂの外周形状に沿うようにして、一辺を開口して略コの字形状に形成され、一対の表示基板３ａ，３ｂによって挟込まれるようにして表示基板３ａ，３ｂ同士を案内表示板２の板厚と略一致する間隔で互いに離間した状態で接合するスペーサ部４を有し、内部に形成された収容空間に案内表示板２を挿入し、収容可能な表示板収容部とを具備する。【選択図】図３
0003140974.tif 000002
【実用新案登録請求の範囲】
【請求項１】
回胴式遊技機の遊技機正面下部に設置されたメダル受皿に装着可能な広告案内表示具であって、
前記回胴式遊技機を遊技する遊技者に対して提供される告知、宣伝、及び案内を含む広告情報が表示された薄板形状の案内表示板と、
前記メダル受皿の受皿底部から所定の高さの受皿内周形状に略一致する外周形状を有する一対の薄板形状の表示基板、及び前記表示基板の外周形状に沿うようにして、一部を開口した状態で略コの字形状に形成され、一対の前記表示基板同士を前記案内表示板の板厚と略一致する間隔で互いに離間した状態で接合するスペーサ部を有し、一対の前記表示基板及び前記スペーサ部によって囲まれた収容空間に、前記スペーサ部の開口部から前記案内表示板を挿入し、収容可能な表示板収容部と
を具備し、
前記メダル受皿に前記受皿底部から所定の高さを保持して装着された前記表示板収容部の上方側の前記表示基板は、
透過性素材によって形成され、前記収容空間に挿入し、収容された前記案内表示板に表示された前記広告情報を外部から視認可能に構成されることを特徴とする広告案内表示具。
【請求項２】
下方側に位置する前記表示基板の下底部に取設され、前記メダル受皿の前記受皿底部と一端が当接し、前記表示板収容部を下方から支持する支持脚部をさらに具備することを特徴とする請求項１に記載の広告案内表示具。
【請求項３】
前記表示基板及び前記スペーサ部は、
外縁の互いに相対する同位置にそれぞれ切欠き形成された一対の切欠部を少なくとも一つ以上有し、
前記切欠部の切欠孔にそれぞれ挿入可能な先端が屈曲した一対の挿入部、前記挿入部から延設され、一端が互いに連結した断面略くの字形状を呈する把持部を有し、前記挿入部を前記切欠部に挿入し、屈曲部分を利用して前記表示板収容部を前記メダル受皿から上方に浮上がらせて脱着可能な脱着用治具をさらに具備することを特徴とする請求項１または請求項２に記載の広告案内表示具。
【考案の詳細な説明】
【技術分野】
【０００１】
本考案は、広告案内表示具に関するものであり、特に、回胴式遊技機（パチンコ式スロットマシン遊技機：「パチスロ」、以下、単に「遊技機」と称す）のメダル受皿（下皿）に装着（嵌着）され、遊技者に対してイベント等の告知や新製品のＰＲ等の広告宣伝活動を行うことが可能な広告案内表示具に関するものである。
【背景技術】
【０００２】
遊技機は、その主たる構成において、略直方体形状の遊技機の筐体本体を備え、当該筐体本体の正面にメダル投入口、スタート用レバー、図柄の表示されたリール、及びストップボタン等の遊技を行うために必要な各種構成を有して構築されている。ここで、遊技機の正面下部には、メダル受皿が設置され、遊技の結果に基づく入賞状況に応じて、メダル受皿と連通したメダル排出口から払い出されるメダルを一時的に貯留することを可能としている。そして、遊技者は、払い出され、一時的に貯留されたメダルを、メダル投入口から投入し、遊技を継続することができる。または、入賞が継続し、払い出されるメダルが、メダル受皿から溢れ、貯留することができない場合には、所定の箱（所謂「ドル箱」）に当該メダルを適宜移し替える作業を行っている。
【考案の開示】
【考案が解決しようとする課題】
【０００３】
ここで、遊技中の遊技者は、高速で回転運動するリールに描かれた絵柄を注視したり、ストップボタンによるリールの回転を停止する操作タイミングを図ることに意識を集中している。また、複数の遊技機を並設した遊技場（ホール等）は、当該遊技機の遊技中に再生される効果音やホールの店内放送、或いはバックグラウンドミュージック、その他雑音により、雑然とした状況が創成されている。そのため、係る状況下で、イベントの告知や新製品のＰＲ等の広告宣伝活動を行ったとしても、遊技に集中している遊技者の意識の外にあるため、広告宣伝に係る情報が充分に伝わらないことが多かった。そのため、特に、ホールにおいて適切な広告宣伝活動を行う手法の開発を期待する声が多かった。
【０００４】
ところで、遊技機自体（特に、筐体本体）には、遊技者の遊技意欲を換気するためのカラフルな装飾が施され、さらに機種名や当該遊技機のテーマに基づいたキャラクター等の図柄がデザインされている。しかしながら、遊技機及びその周囲において、上記のような装飾がほとんど施されていない箇所も複数存在し、係るスペースを有効に活用することが望まれていた。
【０００５】
具体的に説明すると、上記のように遊技に集中し、リールの回転等を注視している遊技者であっても、メダル払い出し口から払い出されるメダルの枚数やメダル受皿のメダルの貯留状況（メダルが溢れていないか否か等）の確認は、遊技中に頻繁に行っていることがあった。また、入賞回数が少なくあまり芳しくない遊技結果の場合には、メダル受皿に貯留されたメダルの枚数を確認し、例えば、追加のメダルを購入し、遊技を継続するか、或いは遊技機による遊技を終了するのか、等の判断を行う必要があり、遊技者の視線は自ずとメダル受皿の方向に注がれることがあった。すなわち、リールの回転等以外に遊技者が視線を移動させる確率が高いのは、メダル受皿またはその周辺近傍であった。
【０００６】
ところが、従来の一般的な遊技機の場合、メダル受皿は、ステンレス等の金属製の素材で形成され、単なる素材自体の銀色の金属表面が剥きだしとなっているにすぎず、係る部位を広告等を表示するためのスペースとして活用しようとすることはほとんどなかった。すなわち、遊技者にとって、遊技中に必然的に視線を向ける箇所ではあるものの、広告的なスペースとしての活用を見い出す発想自体は考えられていなかった。
【０００７】
そこで、本考案は、上記実情に鑑み、遊技者が遊技の際に、必ず視線を移動させるメダル受皿の部位を広告的に活用可能なスペースとして使用することに着目し、これを活用可能な広告案内表示具を提供することを課題とするものである。
【課題を解決するための手段】
【０００８】
上記課題を解決するために、本考案の広告案内表示具は、「回胴式遊技機の遊技機正面下部に設置されたメダル受皿に装着可能な広告案内表示具であって、前記回胴式遊技機を遊技する遊技者に対して提供される告知、宣伝、及び案内を含む広告情報が表示された薄板形状の案内表示板と、前記メダル受皿の受皿底部から所定の高さの受皿内周形状に略一致する外周形状を有する一対の薄板形状の表示基板、及び前記表示基板の外周形状に沿うようにして、一部を開口した状態で略コの字形状に形成され、一対の前記表示基板同士を前記案内表示板の板厚と略一致する間隔で互いに離間した状態で接合するスペーサ部を有し、一対の前記表示基板及び前記スペーサ部によって囲まれた収容空間に、前記スペーサ部の開口部から前記案内表示板を挿入し、収容可能な表示板収容部とを具備し、前記メダル受皿に前記受皿底部から所定の高さを保持して装着された前記表示板収容部の上方側の前記表示基板は、透過性素材によって形成され、前記収容空間に挿入し、収容された前記案内表示板に表示された前記広告情報を外部から視認可能に構成される」ものから主に構成されている。
【０００９】
ここで、案内表示板とは、例えば、硬質の樹脂性素材を利用し、略矩形状に形成された薄板状のものを挙げることができる。そして、この案内表示板の板面の少なくとも一面には、商品の宣伝、イベントの告知等の広告情報が文字及び図柄によって表示されている。なお、広告情報は、案内表示板に直接印刷されたものであっても、或いは片面に粘着剤の塗布されたシールに印刷し、当該シールを板面に貼付したもの等、周知の手法により広告情報を表示可能なものであれば構わない。なお、案内表示板に表示される広告情報は、上記のような商品等の宣伝を主とする広告の掲示板としての機能の他に、当該機種の遊技機による経験が初めて、或いは不慣れな遊技者（例えば、高齢者等）に対して提供する遊技方法の掲示板としての機能を有するものであってもよい。これにより、遊技者は、遊技をしながら表示された遊技方法の説明を確認することができる。その結果、遊技者が遊技方法をとまどうことがなく、また、遊技機の稼働状況も良好となる。
【００１０】
一方、表示板収容部とは、一対の表示基板及びスペーサ部から構成されるものである。ここで、表示基板の少なくとも一方（上方側）は、収容空間に収容された案内表示板に表示された広告情報を視認可能なように透明なプラスチック樹脂或いはガラス製素材等によって構築されている。また、メダル受皿は、一般に略矩形状を呈しており、そのため、略コの字形状のスペーサ部は、メダル受皿の内周形状に略一致する略矩形状の表示基板の三辺を所定の幅で接合するように構築し、表示基板の一辺側に開口部が形成されているものとすることができる。さらに、スペーサ部の内側面形状は、上述した案内表示板の外周形状の三辺と略一致するように形成されている。そのため、開口部から案内表示板を収容空間に挿入すると、案内表示板は完全に収容空間に収容されることとなる。また、上方側の表示基板のみでなく、表示板収容部全体を透明性素材で構築するものであってもよく、さらに案内表示板も広告情報以外の部位を透明性素材で構築しても構わない。
【００１１】
したがって、本考案の広告案内表示具によれば、従来は宣伝及び広告用のスペースとして想定されていなかったメダル受皿に広告情報を表示し、遊技者に対する情報提供を行うことができる。このとき、表示基板は、メダル受皿の所定の高さの内周形状に略一致するように形成されているため、受皿底部から所定の高さで嵌着（装着）されることとなる。このとき、表示基板の外縁とメダル受皿の内周面との間にはほとんど隙間がない状態となり、案内板収容部の上面（上方側の表示基板）に払い出されてメダルが下方に落下することがない。また、透明性素材で形成された上方側の表示基板によって、収容空間に挿入し、収容された案内表示板の広告情報を視認することができるとともに、案内表示板自体のキズ付きを防止することができる。
【００１２】
さらに、案内表示板は、簡易に差し替え可能に形成されているため、複数の案内表示板を用意し、一定の期間毎に広告情報の内容を変更することも可能となる。その結果、遊技者に対して的確な広告宣伝活動を行うことができる。また、案内板収容部とメダル受皿とが隙間なく嵌着されているため、遊技中の遊技者が本考案の広告案内表示具を無理に取外そうとしても、表示基板及びメダル受皿の内周面の間に指を挿入することが困難なため、不正に持ち出しを図ろうとする行為を抑制することができる。さらに、本考案の広告案内表示具は、結果として、メダル受皿のメダル貯留量を嵩上げしたこととなり、周囲の人々（特に、ホール外の通行人等）にとっては、当該遊技機及びホール全体の入賞確率が高いと間接的に感じさせることができる。その結果、ホールへの入場者が増加し、ホール自体の売上げのアップに繋げることができる。
【００１３】
さらに、本考案の広告案内表示具は、上記構成に加え、「下方側に位置する前記表示基板の下底部に取設され、前記メダル受皿の前記受皿底部と一端が当接し、前記表示板収容部を下方から支持する支持脚部を」具備するものであっても構わない。
【００１４】
したがって、本考案の広告案内表示具によれば、受皿底部と下方側の表示基板との間に支持脚部が設けられている。ここで、支持脚部は、例えば、シリコーン樹脂等の弾性素材を利用して構築することが可能であり、一枚の表示基板に対し、例えば４個〜８個を適宜分布するようにしてレイアウトするものであってもよい。これにより、表示板収容部が下方から支持されることとなる。そのため、メダル受皿に払い出された複数枚のメダルの重量による荷重が加えられても、当該案内板表示部が凹むように撓みが生じることがない。なお、ガラス製素材で表示基板（特に、上方側）を構成した場合には、メダルの重みや衝撃が加わった際に亀裂等が生じることを防止することができる。すなわち、支持脚部によって表示板収容部自体の強度を高めることができるようになる。
【００１５】
さらに、本考案の広告案内表示具によれば、「前記表示基板及び前記スペーサ部は、外縁の互いに相対する同位置にそれぞれ切欠き形成された一対の切欠部を少なくとも一つ以上有し、前記切欠部の切欠孔にそれぞれ挿入可能な先端が屈曲した一対の挿入部、前記挿入部から延設され、一端が互いに連結した断面略くの字形状を呈する把持部を有し、前記挿入部を前記切欠部に挿入し、屈曲部分を利用して前記表示板収容部を前記メダル受皿から上方に浮上がらせて脱着可能な脱着用治具を」具備するものであっても構わない。
【００１６】
ここで、脱着用治具とは、例えば、長片状の樹脂性素材を屈曲し、ピンセットやトングのような形状に形成したものであり、把持部の一端から屈曲するようにして延出された一対の先端に挿入部が設けられている。なお、脱着操作のしやすいように、挿入部は、所定方向に曲折して形成されているものであっても構わない。また、指で把持する把持部には、操作しやすいような滑り止め等の構成を設けてもよい。そして、係る脱着用治具の一対の挿入部を表示基板及びスペーサ部に形成された切欠部に挿入し、屈曲部分を下方側の表示基板の下底部に引っ掛けるようにして、表示板収容部を浮上がらせることができる。
【００１７】
したがって、本考案の広告案内表示具によれば、脱着用治具を利用して表示板収容部を脱着させることが行われる。これにより、指等の挿入が不可能で、不正な脱着を抑制する本考案の広告案内表示具を簡易にメダル受皿から取外すことができる。そのため、ホールの店員が上記脱着用治具を携帯し、適宜使用することにより、広告内容の交換作業を速やかに行うことができる。
【考案の効果】
【００１８】
本考案の広告案内表示具の効果によれば、遊技者が遊技の際に必然的に視線を向けるメダル受皿のスペースを効果的に利用し、広告宣伝活動を行うことができる。さらに、広告情報の記載された案内表示板は、簡易に交換可能であるため、イベント毎或いは期間毎に適切な広告内容をホール側が選択し、遊技者に対して提供することができる。その結果、効率的な広告が可能となる。
【００１９】
さらに、脱着用治具以外での脱着を防止することができ、いたずら等の不正な取外し行為を抑制することができる。さらに、本考案の広告案内表示具によって、メダル用受皿を若干嵩上げすることにより、メダル用受皿に貯留可能なメダルの枚数を作為的に減少させ、恰も当該店舗の入賞確率が高いような印象を周囲の人々や通行人に対して惹起させ、遊技者の数を増加させることができるホール側にとってのメリットも有している。
【考案を実施するための最良の形態】
【００２０】
以下、本考案の広告案内表示具１の好適な一実施形態について、図１乃至図６に基づいて説明する。ここで、図１は本実施形態の広告案内表示具１の外観構成を示す平面図であり、図２は広告案内表示具１の外観構成を示す（ａ）正面図、（ｂ）メダル受皿８への嵌着状態を模式的に示す説明図であり、図３は（ａ）案内表示板２、（ｂ）スペーサ部４、（ｃ）上方側の表示基板３ａ、（ｄ）下方側の表示基板３ｂの各構成を示す説明図であり、図４は広告案内表示具１の構成を示す一部拡大断面図であり、図５は案内表示板２の挿入状態を示す参考斜視図であり、図６は脱着用治具５を示す（ａ）正面図、（ｂ）右側面図である。
【００２１】
本実施形態の広告案内表示具１は、図１乃至図６に示すように、遊技者に対する告知、宣伝、及び案内を含む広告情報６が板面上に表示された薄板形状の案内表示板２（図３（ａ）参照）と、メダル受皿８の受皿底部９から所定の高さＨ（図２（ｂ）参照）の受皿内周形状に略一致する外周形状に形成された上下一対の薄板形状の表示基板３ａ，３ｂ（図３（ｃ），（ｄ）参照）、及び表示基板３ａ，３ｂの外周形状に沿うようにして、一部を開口した状態で略コの字形状に形成され、一対の表示基板３ａ，３ｂの間に挟込まれるようにして該表示基板３ａ，３ｂ同士を案内表示板２の板厚ｈと略一致する間隔で互いに離間した状態で接合するスペーサ部４（図３（ｂ）、図４参照）を有し、表示基板３ａ，３ｂ及びスペーサ部４によって囲まれて形成された内部の収容空間１０に開口部１０ａから案内表示板２を挿入し、収容可能な表示板収容部１１（図１及び図２参照）とを具備して主に構成されている。なお、本実施形態の広告案内表示具１は、一つの表示板収容部１１に対して、商品等の宣伝、遊技方法等の説明などを表示した複数の案内表示板２が用意され、状況に応じて適宜交換可能に設定されている。
【００２２】
さらに、詳細に説明すると、下方側の表示基板３ｂには、下底部１２にメダル受皿８の受皿底部９と当接可能な半球状のシリコーン樹脂製の支持脚部７が２×３の計六個設けられ、表示板収容部１１を下方から支持し、表示板収容部１１に加わる荷重に対して抗する強度を保持している。ここで、シリコーン樹脂は、弾力性を有するため、表示板収容部１１に何らかの荷重が加えられたとしても、ある程度の荷重に対しては、弾性変形により当該荷重に抗することができる。さらに、一対の表示基板３ａ，３ｂ及びスペーサ部４には、互いに接合し、表示板収容部１１を形成した際に同一の位置となる箇所に半円形状の切欠き切欠部１３が左右（図１における紙面左右方向に相当）に一対ずつ、合計二組設けられている。なお、係る切欠部１３は、略矩形状の表示板収容部１１の互いに対向する短手側の辺にそれぞれ設けられている。
【００２３】
ここで、本実施形態の広告案内表示具１は、すべて樹脂製の素材で形成されている。特に、上方側の表示基板３ａは、アクリル樹脂等の透明性を呈する素材で形成されている。その結果、外部から収容空間１０に収容された案内表示板２の広告情報６を容易に視認することができる。
【００２４】
また、本実施形態の広告案内表示具１は、その他の構成として、上述の切欠部１３の形状に対応し、当該切欠部１３に挿入可能な一対の挿入部１４及び挿入部１４から所定方向に屈曲し、延設された把持部１５を有する脱着用治具５を有している。ここで、図６（ａ），（ｂ）に示すように、脱着用治具５は、一本の長手形状の硬質の樹脂性素材を熱加工等によって折曲げて構築したものであり、略くの字形状の把持部１５の途中には、把持する際に指が当接する半円形状の操作部１７が設けられている。
【００２５】
次に、本実施形態の広告案内表示具１の使用方法の一例について説明する。なお、案内表示板２の板面の一部には、印刷等の周知の表示技法を利用して宣伝または広告等の広告情報６が表示されている。その詳細については省略する。そして、広告情報６の付された案内表示板２を表示板収容部１１の開口部１０ａから挿入し、収容空間１０に収容する。こことき、案内表示板２の立体的形状は、表示板収容部１１の内部に形成された収容空間１０の立体的空間形状とほぼ一致している。なお、挿入及び収容を容易とするために、案内表示板２の方が若干小さめに形成されている。その結果、スムースな挿入及び収容が完了することとなる（図５における矢印方向に相当）。
【００２６】
そして、案内表示板２が収容された表示板収容部１１を、遊技機（図示しない）の遊技機正面下部に設置されたメダル受皿８に嵌着する。具体的に説明すると、支持脚部７が取設された表示基板３ｂの側を下に向け、メダル受皿８に向かってゆっくりと下降させる。そして、メダル受皿８の受皿内周形状と、表示板収容部１１（または、表示基板３ａ，３ｂ）の外周形状とが一致する位置（受皿底部９からの所定の高さに相当）に到達させ、表示板収容部１１を嵌着（装着）する。これにより、当該メダル受皿８と表示板収容部１１が隙間無く密接した状態で嵌着されることとなる。なお、下方側の表示基板３ｂには、シリコーン樹脂製の支持脚部７が取付けられ、受皿底部９と接している。その結果、複数の支持脚部７によって表示板収容部１１を下方から支持することとなり、メダルＭ等の荷重に対して抗することができるようになる。その結果、表示板収容部１１のメダル受皿８に対する嵌着状態が安定したものとなる。
【００２７】
これにより、表示板収容部１１のメダル受皿８への嵌着（装着）が完了する。このとき、上方側の表示基板３ａは、透明性の素材から形成されているため、開口部１０ａから収容空間１０に収容された案内表示板２の広告情報６を外部から直接視認することができる。すなわち、遊技機を遊技中の遊技者は、メダル受皿８に視線を移動させた際に当該広告情報６を視認し、その内容を認識することができる。なお、表示板収容部１１は受皿底部９に比較的近接した高さで設置されるため、メダル受皿８に貯留されるメダルＭの枚数は、若干の減少は見られるが、それほど大きなものではない。そのため、遊技者はいつものように遊技を行うことができ、本実施形態の広告案内表示具１によって従来の遊技環境が大幅に変化することはない。そのため、遊技者にとっては違和感を覚えることなく、いつも通りの遊技をすることができる。
【００２８】
また、広告情報６の表示された案内表示板２に払い出されたメダルＭ等が直に接することがないため、広告情報６がキズや汚損等の影響を受けることがない。すなわち、上方側の表示基板３ａは、広告情報６のカバーとしての機能を有している。さらに、表示板収容部１１がメダル受皿８に隙間なく嵌着されているため、指や爪等を挿し込むことが基本的には不可能である。そのため、遊技者が表示板収容部１１を不正に取外そうとする行為を抑止することもできる。なお、図２（ｂ）等に示すように、表示板収容部１１は、メダル受皿８の上縁から充分に深い位置にある必要がある。
【００２９】
一方、表示板収容部１１をメダル受皿８から脱着する場合、上記の脱着用治具５を使用して、脱着が試みられる。ここで、表示板収容部１１には、一対の切欠部１３が形成されている。すなわち、メダル受皿８の内周面との間には、指等の差し込むことのできない微小な隙間が当該部位に限定的に作成されている。そして、この切欠部１３に脱着用治具５の挿入部１４を挿込み、屈曲部分で引っ掛けてメダル受皿８に向けて持ち上げることにより、表示板収容部１１を上方に浮上がらせることができる。その結果、表示板収容部１１の取り外しがこの脱着用治具５を用いれば、比較的簡易に行える。
【００３０】
すなわち、脱着用治具５を保持している特定の人物（ホールの店員、或いはホール責任者等）以外は、脱着ができない。そして、脱着した表示板収容部１１から案内表示板２を取外し（図５における矢印反対方向に相当）、別に提供する他の広告情報６が表示された案内表示板２を開口部１０ａから装着することができる。
【００３１】
以上説明したように、本考案の広告案内表示具１について、好適な上記実施形態を例示したが、本考案はこれに限定されるものではなく、本実用新案登録請求の範囲及び図面の記載に基づいて、適宜変更するものであっても構わない。
【００３２】
すなわち、全ての部材を硬質の樹脂製素材を利用して構築するものを示したが、使用する素材は樹脂製のものに特に限定されるものではない。例えば、上方側に位置する表示基板を、透明性を有するガラス素材を用いて構築するものであっても構わない。さらに、表示板収容部１１を下方から支持するための支持脚部７を有するものを示したが、これに限定されるものではなく、表示板収容部１１及びメダル受皿８の装着状態のみで十分な荷重に抗することができるのであれば、係る構成を省略するものであっても構わない。
【００３３】
また、一般にメダル受皿８は、受皿底部９に対して上方に拡開するように形成されていることが多い。すなわち、メダル受皿８の内側周面は傾斜面として形成されている。そこで、内側周面と当接する表示基板３ａ，３ｂ及びスペーサー部４の側面をメダル受皿８の内側周面の傾斜と同じ角度の傾斜を付けて形成するものであってもよい。つまり、上方側の表示基板３ａよりもスペーサ部４を小さく形成し、さらにスペーサー部４よりも下方側の表示基板３ｂを小さくするものであってもよい。これにより、表示板収容部２とメダル受皿８との密着性がさらに高いものとなり、メダル貯留時のぐらつき等の問題が解消可能される。
【図面の簡単な説明】
【００３４】
【図１】本実施形態の広告案内表示具の外観構成を示す平面図である。
【図２】広告案内表示具の外観構成を示す（ａ）正面図、（ｂ）メダル受皿８への嵌着状態を模式的に示す説明図である。
【図３】（ａ）案内表示板、（ｂ）スペーサ部、（ｃ），上方側の表示基板、（ｄ）下方側の表示基板の各構成を示す説明図である。
【図４】広告案内表示具の構成を示す一部拡大断面図である。
【図５】案内表示板の挿入状態を示す参考斜視図である。
【図６】脱着用治具の構成を示す（ａ）正面図、（ｂ）右側面図である。
【符号の説明】
【００３５】
１  広告案内表示具
２  案内表示板
３ａ，３ｂ  表示基板
４  スペーサ部
５  脱着用治具
６  広告情報
７  支持脚部
８  メダル受皿
９  受皿底部
１０  収容空間
１１  表示板収容部
１２  下底部
１３  切欠部
１４  挿入部
１５  把持部
１７  操作部
【図１】
0003140974.tif 000003
【図２】
0003140974.tif 000004
【図３】
0003140974.tif 000005
【図４】
0003140974.tif 000006
【図５】
0003140974.tif 000007
【図６】
0003140974.tif 000008